(57)【要約】【課題】設置時間を短縮しつつ、強固に設置できる蓄電装置を提供する。【解決手段】本発明の一態様に係る蓄電装置は、蓄電池と、第１面と、第１面の反対面である第２面とを有し、内部に蓄電池が収納される筐体と、第１ナットとを備える。筐体には、第１面から第２面に向かう方向に、第１貫通穴が設けられる。第１ナットは、筐体に取り付けられる。第１ナットは、第１貫通穴内に配置され、かつ第１ねじ穴が設けられた第１本体部と、第１本体部の外周面から突出する第１爪部と、第１本体部の外周面から突出する第２爪部とを有する。第１爪部は、第２爪部との間で、筐体を挟持する。【選択図】図４
2018142474.tif 000002
【特許請求の範囲】
【請求項１】
蓄電池と、
第１面と、前記第１面の反対面である第２面とを有し、前記第１面から前記第２面に向かう方向に第１貫通穴が設けられ、かつ内部に前記蓄電池が収納される筐体と、
前記筐体に取り付けられる第１ナットとを備え、
前記第１ナットは、前記第１貫通穴内に配置され、かつ第１ねじ穴が設けられた第１本体部と、前記第１本体部の外周面から突出する第１爪部と、前記第１本体部の外周面から突出する第２爪部とを有し、
前記第１爪部は、前記第２爪部との間で、前記筐体を挟持する、蓄電装置。
【請求項２】
前記第１爪部及び前記第２爪部に挟持される位置に配置される前記筐体の厚さは、前記第１爪部及び前記第２爪部に挟持されない位置に配置される前記筐体の厚さよりも大きい、請求項１に記載の蓄電装置。
【請求項３】
前記筐体は、基材と、前記基材の前記第１面側及び前記第２面側に配置され、かつ前記基材よりもイオン化傾向が大きい防食めっき層を含む、請求項１に記載の蓄電装置。
【請求項４】
前記防食めっき層は、亜鉛と、アルミニウムと、マグネシウムとを含有するめっき層である、請求項３に記載の蓄電装置。
【請求項５】
前記筐体に配置される第２ナットをさらに備え、
前記筐体は、第１側壁と、前記第１側壁に対向する第２側壁とを有し、
前記第１貫通穴は、前記第１側壁に設けられ、
前記第１ナットは、前記第１側壁に取り付けられ、
前記第２ナットは、前記第２側壁に取り付けられ、
前記第２側壁には、前記第１面から前記第２面に向かう方向に前記第２側壁を貫通する第２貫通穴が設けられ、
前記第２ナットは、前記第２貫通穴内に配置され、かつ第２ねじ穴が設けられた第２本体部と、前記第２本体部の外周面から突出する第３爪部と、前記第２本体部の外周面から突出する第４爪部とを有し、
前記第３爪部は、前記第４爪部との間で、前記筐体を挟持する、請求項１に記載の蓄電装置。
【請求項６】
脚部をさらに備え、
前記筐体は、前記内部へと配線が通される第３貫通穴が設けられた底壁をさらに有し、
前記脚部は、前記底壁に接続される、請求項１〜請求項５のいずれか１項に記載の蓄電装置。
【請求項７】
前記脚部は、前記底壁に接続される第１部分と、前記第１部分に接続される第２部分とを有し、
前記第１部分は、設置面と交差する方向に延在し、かつ配線が通される第４貫通穴が設けられ、
前記第２部分は、設置面と平行な方向に延在する第２部分とを有する、請求項６に記載の蓄電装置。
【請求項８】
前記脚部は、前記底壁に接続される第１部分と、前記第１部分に接続される第２部分とを有し、
前記第１部分は、設置面と交差する方向に延在し、
前記第２部分は、前記設置面と平行な方向に延在し、かつ前記第１部分に接続される側と反対側の端に切欠きが設けられる、請求項６に記載の蓄電装置。
【請求項９】
請求項１〜請求項８のいずれか１項に記載の前記蓄電装置と、
第５貫通穴が一方端に設けられた固定部材と、
前記第５貫通穴に通されるとともに、前記第１ナットに締結されるボルトとを備える、蓄電装置組立体。
【請求項１０】
固定部材の一方端を蓄電装置に取り付ける固定部材取付工程を備え、
前記蓄電装置は、
蓄電池と、
第１面と、前記第１面の反対面である第２面とを有し、前記第１面から前記第２面に向かう方向に第１貫通穴が設けられ、かつ内部に前記蓄電池が収納される筐体と、
前記筐体に配置される第１ナットとを備え、
前記第１ナットは、前記第１貫通穴内に配置され、かつ第１ねじ穴が設けられた第１本体部と、前記第１本体部の外周面から突出する第１爪部と、前記第１本体部の外周面から突出する第２爪部とを有し、
前記固定部材取付工程においては、ボルトが、前記一方端に設けられた第５貫通穴に通されるとともに、前記第１ナットと締結されることで前記第１爪部と前記第２爪部との間に前記筐体を挟持され、前記一方端が前記蓄電装置に取り付けられる、蓄電装置の組立方法。
【発明の詳細な説明】
【技術分野】
【０００１】
本発明は、蓄電装置、蓄電装置組立体及び蓄電装置の組立方法に関する。
【背景技術】
【０００２】
例えば特開２０１４−１２５７３４号公報（特許文献１）に記載されているように、従来、蓄電装置は、コンクリート製の基礎の上に載置されるとともに、コンクリート製の基礎に埋め込まれたアンカーボルトと締結されることにより強固に設置されていた。
【先行技術文献】
【特許文献】
【０００３】
【特許文献１】特開２０１４−１２５７３４号公報
【発明の概要】
【発明が解決しようとする課題】
【０００４】
コンクリート製の基礎を新たに設ける場合、コンクリートを流し込む型枠を形成する工程と、型枠にコンクリートを流し込む工程と、型枠に流し込まれたコンクリートを乾燥させる工程とが必要である。型枠に流し込まれたコンクリートが乾燥するまでには、数日間の時間を要する。そのため、従来の蓄電装置の設置方法においては、設置に長時間を要していた。
【０００５】
本発明は、このような従来技術の問題点に鑑みてなされたものである。すなわち、本発明は、設置時間を短縮することができ、かつ強固に設置ができる蓄電装置、蓄電装置組立体及び蓄電装置の組立方法を提供する。
【課題を解決するための手段】
【０００６】
本発明の一態様に係る蓄電装置は、蓄電池と、第１面と、第１面の反対面である第２面とを有し、内部に蓄電池が収納される筐体と、第１ナットとを備える。筐体には、第１面から第２面に向かう方向に第１貫通穴が設けられる。第１ナットは、筐体に取り付けられる。第１ナットは、第１貫通穴内に配置され、かつ第１ねじ穴が設けられた第１本体部と、第１本体部の外周面から突出する第１爪部と、第１本体部の外周面から突出する第２爪部とを有する。第１爪部は、第２爪部との間で、筐体を挟持する。
【発明の効果】
【０００７】
本発明の一態様に係る蓄電装置によれば、設置時間を短縮しながら強固な設置ができる。
【図面の簡単な説明】
【０００８】
【図１】実施形態に係る蓄電装置の正面図である。
【図２】実施形態に係る蓄電装置の側面図である。
【図３】実施形態に係る蓄電装置の底面図である。
【図４】図１のＩＶ−ＩＶにおける断面図である。
【図５】実施形態に係る蓄電装置組立体の正面図である。
【図６】実施形態に係る蓄電装置組立体の側面図である。
【図７】実施形態に係る蓄電装置の組立方法を示す工程図である。
【発明を実施するための形態】
【０００９】
［本発明の実施形態の説明］
まず、本発明の実施態様を列記して説明する。
【００１０】
（１）本発明の一態様に係る蓄電装置は、本発明の一態様に係る蓄電装置は、蓄電池と、第１面と、第１面の反対面である第２面とを有し、内部に蓄電池が収納される筐体と、第１ナットとを備える。筐体には、第１面から第２面に向かう方向に第１貫通穴が設けられる。第１ナットは、筐体に取り付けられる。第１ナットは、第１貫通穴内に配置され、かつ第１ねじ穴が設けられた第１本体部と、第１本体部の外周面から突出する第１爪部と、第１本体部の外周面から突出する第２爪部とを有する。第１爪部は、第２爪部との間で、筐体を挟持する。
【００１１】
上記（１）の蓄電装置によると、設置時間を短縮することができる。また、上記（１）の蓄電装置によると、蓄電装置を強固に設置することができる。
【００１２】
（２）上記（１）の蓄電装置において、第１爪部及び第２爪部に挟持される位置に配置される前記筐体の厚さは、第１爪部及び第２爪部に挟持されない位置に配置される前記筐体の厚さよりも大きくてもよい。
【００１３】
上記（２）の蓄電装置によると、第１ナットをさらに強固に筐体に取り付けることができる。
【００１４】
（３）上記（１）の蓄電装置において、筐体は、基材と、基材の第１面側及び第２面側に配置され、かつ基材よりもイオン化傾向が大きい防食めっき層を含んでいてもよい。
【００１５】
上記（３）の蓄電装置によると、筐体が溶接困難な材料により構成されていたとしても、第１ナットを強固に筐体に取り付けることができる。
【００１６】
（４）上記（３）の蓄電装置において、防食めっき層は、亜鉛と、アルミニウムと、マグネシウムとを含有するめっき層であってもよい。
【００１７】
上記（４）の蓄電装置によると、第１側壁が溶接困難な材料により構成されていたとしても、第１ナットを、さらに強固に筐体に取り付けることができる。
【００１８】
（５）上記（１）の蓄電装置は、筐体に取り付けられる第２ナットをさらに備えていてもよい。筐体は、第１側壁と、第１側壁に対向している第２側壁とを有していてもよい。第１貫通穴は、第１側壁に設けられる。第１ナットは、第１側壁に取り付けられ、第２ナットは、第２側壁に取り付けられる。第２側壁には、第１面から第２面に向かう方向に第２側壁を貫通する第２貫通穴が設けられる。第２ナットは、第２貫通穴内に配置され、かつ第２ねじ穴が設けられた第２本体部と、第２本体部の外周面から突出する第３爪部と、第２本体部の外周面から突出する第３爪部とを有する。第３爪部は、第４爪部との間で、筐体を挟持する。
【００１９】
上記（５）の蓄電装置によると、筐体の複数箇所に固定部材を取り付けることができる。
【００２０】
（６）上記（１）〜（５）の蓄電装置は、脚部をさらに備えていてもよい。上記（１）〜（５）の蓄電装置において、筐体は、内部へと配線が通される第３貫通穴が設けられた底壁をさらに有していてもよい。脚部は、底壁に接続される。
【００２１】
上記（６）の蓄電装置によると、配線が外部に露出することに伴って配線が劣化すること及び美観が損なわれることを抑制できる。
【００２２】
（７）上記（６）の蓄電装置においては、脚部が、第１部分と、第２部分とを有していてもよい。第１部分は、底壁に接続され、設置面と交差する方向に延在し、かつ配線が通される第４貫通穴が設けられる。第２部分は、第１部分に接続され、かつ設置面と平行な方向に延在する。
【００２３】
上記（７）の蓄電装置によると、配線がばらけてしまうことによって美観が損なわれることを抑制できる。
【００２４】
（８）上記（６）の蓄電装置においては、脚部が、第１部分と、第２部分とを有していてもよい。第１部分は、底壁に接続され、かつ設置面と交差する方向に延在する。第２部分は、第１部分に接続され、かつ設置面と平行な方向に延在する。第２部分には、第１部分に接続される側とは反対側の端に、切欠きが設けられる。
【００２５】
上記（８）の蓄電装置によると、蓄電装置を、ボルト等を用いてコンクリートブロック等に固定する際の位置合わせが容易となる。
【００２６】
（９）本発明の一態様に係る蓄電装置組立体は、上記（１）〜（８）の蓄電装置と、固定部材と、第５貫通穴が一方端に設けられた固定部材と、第５貫通穴に通されるとともに、第１ナットに締結されるボルトとを備える。
【００２７】
上記（９）の蓄電装置組立体によると、設置時間を短縮することができる。
（１０）本発明の一態様に係る蓄電装置の組立方法は、固定部材の一方端を、蓄電装置に取り付ける固定部材取付工程を備える。蓄電池と、第１面と、第１面の反対面である第２面とを有し、内部に蓄電池が収納される筐体と、第１ナットとを備える。筐体には、第１面から第２面に向かう方向に第１貫通穴が設けられる。第１ナットは、筐体に取り付けられる。第１ナットは、第１貫通穴内に配置され、かつ第１ねじ穴が設けられた第１本体部と、第１本体部の外周面から突出する第１爪部と、第１本体部の外周面から突出する第２爪部とを有する。第１爪部と第２爪部の間には、筐体が挟持される。固定部材取付工程においては、ボルトが、固定部材の一方端に設けられた第５貫通穴に通されるとともに、第１ナットと締結されることで第１爪部と第２爪部との間に筐体を挟持され、固定部材の一方端が前記蓄電装置に取り付けられる。
【００２８】
上記（１０）の蓄電装置の組立方法によると、設置時間を短縮することができる。
［本発明の実施形態の詳細］
次に、本発明の実施形態の詳細を、図面を参照して説明する。なお、各図中同一又は相当部分には同一符号を付している。また、以下に記載する実施の形態の少なくとも一部を任意に組み合わせてもよい。
【００２９】
（実施形態に係る蓄電装置の構成）
以下に、実施形態に係る蓄電装置の構成について説明する。
【００３０】
図１は、実施形態に係る蓄電装置の正面図である。図２は、実施形態に係る蓄電装置の側面図である。図３は、実施形態に係る蓄電装置の底面図である。図４は、図１のＩＶ−ＩＶにおける断面図である。図１〜４に示すように、実施形態に係る蓄電装置は、筐体１と、第１ナット２と、第２ナット３とを有している。実施形態に係る蓄電装置は、さらに脚部４を有していてもよい。
【００３１】
筐体１は、筐体１は、第１面１ａと、第２面１ｂとを有している。第１面１ａは、例えば筐体１の内部に位置する面である。第２面１ｂは、第１面１ａの反対面である。第１面１ａが筐体１の内部に位置する面である場合、第２面１ｂは筐体１の外部に位置する面である。
【００３２】
第１側壁１１と、第２側壁１２と、第３側壁１３と、第４側壁１４と、底壁１５と、上壁１６とを有している。第１側壁１１と第２側壁１２とは、互いに対向している。第３側壁１３と第４側壁１４とは、互いに対向している。底壁１５と上壁１６とは、互いに対向している。底壁１５及び上壁１６は、第１側壁１１、第２側壁１２、第３側壁１３及び第４側壁１４と連なっている。
【００３３】
第１貫通穴１１ａは、筐体１に設けられている。第１貫通穴１１ａは、例えば第１側壁１１に設けられている。第１貫通穴１１ａは、第１面１ａから第２面１ｂに向かって第１側壁１１を貫通している。
【００３４】
筐体１は、基材１ｃと、防食めっき層１ｄとを有している。基材１ｃには、例えば鋼板が用いられる。基材１ｃは、複数枚の鋼板を重ね合わせることにより構成されていてもよい。防食めっき層１ｄは、第１面１ａ及び第２面１ｂ側に配置されている。防食めっき層１ｄには、基材１ｃよりもイオン化傾向が大きい材料が用いられる。防食めっき層１ｄは、亜鉛（Ｚｎ）を含有するめっき層であることが好ましい。防食めっき層１ｄは、Ｚｎと、アルミニウム（Ａｌ）と、マグネシウム（Ｍｇ）を含有するめっき層であることが殊に好ましい。
【００３５】
第１ナット２は、筐体１に取り付けられている。第１ナット２は、例えば第１側壁１１に取り付けられている。第１ナット２は、第１本体部２１と、第１爪部２２と、第２爪部２３とを有している。第１本体部２１には、第１ねじ穴２１ａが設けられている。第１ねじ穴２１ａの内周面には、ねじ溝が形成されている。第１本体部２１は、第１貫通穴１１ａ内に配置されている。
【００３６】
第１爪部２２は、第１本体部２１の外周面から突出している。好ましくは、第１爪部２２は、第１本体部２１と一体に形成されている。第１爪部２２は、第１側壁１１の第２面１ｂに接している。第２爪部２３は、第１本体部２１の外周面から突出している。第２爪部２３は、第１側壁１１の第１面１ａに接している。好ましくは、第２爪部２３は、第１本体部２１と一体に形成されている。第１爪部２２は、第２爪部２３との間で第１側壁１１を挟持している。すなわち、第１ナット２は、第１爪部２２及び第２爪部２３により、第１側壁１１にかしめられている（圧着されている）。
【００３７】
筐体１は、第１爪部２２及び第２爪部２３に挟持されている部分において、第１厚さＴ１を有している。筐体１は、第１爪部２２及び第２爪部２３に挟持されていない部分において、第２厚さＴ２を有している。好ましくは、第１厚さＴ１は、第２厚さＴ２よりも厚い。
【００３８】
第２側壁１２は、第１側壁１１と同様の構成を有している。すなわち、第２側壁１２には、第１面１ａから第２面１ｂに向かって第２側壁１２を貫通する第２貫通穴１２ａが設けられている。
【００３９】
第２ナット３は、第１ナット２と同様の構成を有している。すなわち、第２ナット３は、第２本体部３１と、第３爪部３２と、第４爪部３３とを有している。第２本体部３１には、第２ねじ穴３１ａが設けられている。第２本体部３１は、第２貫通穴１２ａ内に配置されている。第３爪部３２及び第４爪部３３は、第２本体部３１の外周面から突出することにより、第２側壁１２を挟持している。すなわち、第２ナット３は、第３爪部３２及び第４爪部３３により、第２側壁１２にかしめられている（圧着されている）。
【００４０】
第３側壁１３は、建造物の壁Ｗと対向する筐体１の側壁である。第４側壁１４は、第３側壁１３に対向する筐体１の側壁である。例えば、第３側壁１３と第４側壁１４との間隔は、第１側壁１１と第２側壁１２との間隔よりも小さい。
【００４１】
底壁１５は、設置面Ｇと対向している。底壁１５には、第３貫通穴１５ａが設けられている。第３貫通穴１５ａは、複数設けられていてもよい。第３貫通穴１５ａは、第１面１ａから第２面１ｂに向かう方向に、底壁１５を貫通している。
【００４２】
第３貫通穴１５ａからは、筐体１の内部に配線が通される。配線は、筐体１の内部に配置される蓄電池１７及びその他の機器（例えば、電力変換及び各種の制御を行う回路基板（図示せず）、回路基板及び蓄電池１７の冷却を行う冷却ファン（図示せず）等）に接続されている。
【００４３】
脚部４は、底壁１５に取り付けられている。より具体的には、脚部４は、底壁１５に位置する第２面１ｂに取り付けられている。脚部４は、設置面Ｇ上において、筐体１を支持する。
【００４４】
脚部４は、第１部分４１と、第２部分４２とを有している。第１部分４１は、底壁１５に接続している。第１部分４１は、底壁１５から、設置面Ｇに交差する方向に延在している。好ましくは、第１部分４１は、底壁１５から、設置面Ｇに直交する方向に延在している。
【００４５】
第１部分４１には、第４貫通穴４３が設けられている。第４貫通穴４３には、配線が通される。第４貫通穴４３の数は、複数であってもよい。
【００４６】
第２部分４２は、第１部分４１に接続している。第２部分４２は、第１部分４１から設置面Ｇに平行な方向に延在している。第２部分４２には、切欠き４４が設けられている。切欠き４４は、第２部分４２の第１部分４１側と反対側の端に設けられている。切欠き４４は、例えば、平面視において（第２部分４２に直交する方向からみて）部分円形状を有している。
【００４７】
（実施形態に係る蓄電装置組立体の構成）
以下に、実施形態に係る蓄電装置組立体の構成を説明する。
【００４８】
図５は、実施形態に係る蓄電装置組立体の正面図である。図６は、実施形態に係る蓄電装置組立体の側面図である。図５及び６に示すように、実施形態に係る蓄電装置組立体は、蓄電装置５と、第１固定部材６ａと、第２固定部材６ｂと、第１ボルト７ａと、第２ボルト７ｂを有している。蓄電装置５は、上記の実施形態に係る蓄電装置である。実施形態に係る蓄電装置組立体は、設置ブロック８をさらに有していてもよい。
【００４９】
第１固定部材６ａの一方端には、第５貫通穴６１が設けられている。第１固定部材６ａは、板状の部材であってもよい。第１固定部材６ａは、一方端と他方端との間において、折れ曲がっていてもよい。第１固定部材６ａは、例えばＬ字アングルである。
【００５０】
第１ボルト７ａは、第５貫通穴６１に通されている。第１ボルト７ａは、第１ナット２に締結されている。これにより、第１固定部材６ａは、蓄電装置５に固定されている。
【００５１】
第２固定部材６ｂ及び第２ボルト７ｂは、第１固定部材６ａ及び第１ボルト７ａとそれぞれ同様の構成を有している。すなわち、第２ボルト７ｂが、第２固定部材６ｂの一方端に設けられた第６貫通穴６２に通され、第２ナット３と締結される。これにより、第２固定部材６ｂは、蓄電装置５に固定されている。
【００５２】
なお、第１固定部材６ａ及び第２固定部材６ｂは、他方端に設けられた貫通穴にボルトを通すとともに、当該ボルトを壁Ｗに設けられたねじ穴と締結することにより、壁Ｗに固定されている。
【００５３】
設置ブロック８は、設置面Ｇ上に配置されている。脚部４は、設置ブロック８上に配置されている。脚部４は、設置ブロック８に埋め込まれた（又は取り付けられた）アンカーボルト８１と、アンカーボルト８１に締結されるナット８２により、設置ブロック８に固定されている。なお、この場合、アンカーボルト８１は、切欠き４４に通され、第２部分４２は、ナット８２と設置ブロック８に挟み込まれている。
【００５４】
設置ブロック８の長さは、第３側壁１３と第４側壁１４との間隔よりも長いことが好ましい。設置ブロック８は、例えばコンクリートブロックである。
【００５５】
（実施形態に係る蓄電装置の組立方法）
以下に、実施形態に係る蓄電装置の組立方法を説明する。
【００５６】
図７は、実施形態に係る蓄電装置の組立方法を示す工程図である。図７に示すように、実施形態に係る蓄電装置の組立方法は、固定部材取付工程Ｓ１を有している。実施形態に係る蓄電装置の組立方法は、設置ブロック取付工程Ｓ２を有していてもよい。
【００５７】
固定部材取付工程Ｓ１においては、第１固定部材６ａ及び第２固定部材６ｂの蓄電装置５への取り付けが行われる。第１固定部材６ａの蓄電装置５への取り付けは、第５貫通穴６１に第１ボルト７ａを通すとともに、第１ボルト７ａを第１ナット２と締結することにより行われる。第２固定部材６ｂの取り付けも、同様に行われる。第２爪部２３（第４爪部３３）は、第１ボルト７ａ（第２ボルト７ｂ）を第１ナット２（第２ナット３）に締結する際に、第１本体部２１（第２本体部３１）が第１面１ａ側から第２面１ｂ側に向かって引っ張られて変形することにより、形成される。
【００５８】
設置ブロック取付工程Ｓ２においては、設置ブロック８への蓄電装置５の取り付けが行われる。設置ブロック取付工程Ｓ２においては、第１に、設置面Ｇ上に設置ブロック８が載置される。
【００５９】
設置ブロック取付工程Ｓ２においては、第２に、設置ブロック８に蓄電装置５が固定される。設置ブロック８への蓄電装置５の固定は、アンカーボルト８１を切欠き４４に通すとともに、設置ブロック８との間に第２部分４２を挟み込むように、ナット８２をアンカーボルト８１に締結することにより行われる。
【００６０】
固定部材取付工程Ｓ１及び設置ブロック取付工程Ｓ２の終了後、第１固定部材６ａ及び第２固定部材６ｂの他方端は、壁Ｗに固定される。以上により、実施形態に係る蓄電装置の組立は完了する。
【００６１】
（実施形態に係る蓄電装置、蓄電装置組立体及び蓄電装置の組立方法の効果）
以下に、実施形態に係る蓄電装置、蓄電装置組立体及び蓄電装置の組立方法の効果について説明する。
【００６２】
実施形態に係る蓄電装置は、第１固定部材６ａ（第２固定部材６ｂ）を取り付けることにより、その位置を壁Ｗに対して固定することができる。そのため、実施形態に係る蓄電装置においては、コンクリート製の基礎を用いる必要がない。したがって、実施形態に係る蓄電装置によると、設置時間を短縮することができる。
【００６３】
実施形態に係る蓄電装置において、第１ナット２（第２ナット３）は、第１爪部２２及び第２爪部２３（第３爪部３２及び第４爪部３３）で筐体１を挟持することによって、筐体１に取り付けられている。第１ナット２（第２ナット３）をスポット溶接によって筐体１に取り付ける場合、第１ナット２（第２ナット３）の接合強度が不足する。第１ナット２（第２ナット３）の周囲をＴＩＧ（Tungsten  Inert  Gas）溶接することで筐体１に取り付ける場合、加工コストが増大する。
【００６４】
第１ナット２（第２ナット３）を、第１爪部２２及び第２爪部２３（第３爪部３２及び第４爪部３３）で筐体１を挟持することにより筐体１に取り付ける場合は、接合強度を高めることができ、かつ加工コストも低い。すなわち、実施形態に係る蓄電装置によると、第１ナット２（第２ナット３）を、強固かつ低コストに筐体１に取り付けることができる。
【００６５】
第１厚さＴ１が第２厚さＴ２よりも大きい場合には、第１ナット２（第２ナット３）を締結する際に、より強固に筐体１を第１爪部２２及び第２爪部２３により挟持することができる。そのため、この場合には、第１ナット２（第２ナット３）をさらに強固に筐体１に取り付けることができる。
【００６６】
防食めっき層１ｄは、基材１ｃよりも低融点であることが通常である。そのため、筐体１を溶接する際には、スパッタ、ブローホール等が発生しやすい。したがって、筐体１が防食めっき層１ｄを有している場合、第１ナット２（第２ナット３）を筐体１に取り付けるための溶接は、条件が厳しくなる。実施形態に係る蓄電装置によると、このような場合でも、第１ナット２（第２ナット３）を強固に筐体１に取り付けることができる。
【００６７】
Ｚｎと、Ａｌと、Ｍｇとを含有するめっき層は、加工性が高い。そのため、防食めっき層１ｄがＺｎと、Ａｌと、Ｍｇとを含有するめっき層である場合、第１ナット２（第２ナット３）をさらに強固に筐体１に取り付けることができる。
【００６８】
実施形態に係る蓄電装置において、第１貫通穴１１ａ及び第２貫通穴１２ａの双方が設けられ、筐体１に第１ナット２及び第２ナット３の双方が取り付けられている場合、第１固定部材６ａ及び第２固定部材６ｂの双方で蓄電装置の位置を固定することができる。
【００６９】
実施形態に係る蓄電装置において、底壁１５に第３貫通穴１５ａが設けられており、かつ実施形態に係る蓄電装置が脚部４を有している場合、配線を蓄電装置の下に隠しやすい。そのため、この場合には、配線が劣化すること及び美観が損なわれることを抑制できる。
【００７０】
実施形態に係る蓄電装置において、第１部分４１に、第４貫通穴４３が設けられている場合、配線がばらけてしまいにくい。そのため、この場合には、美観が損なわれることを抑制できる。
【００７１】
実施形態に係る蓄電装置において、第２部分４２に切欠き４４が設けられている場合、設置ブロック８のアンカーボルトに対する脚部４の位置合わせが容易になる。そのため、この場合には、蓄電装置の設置をさらに容易にすることができる。
【００７２】
実施形態に係る蓄電装置組立体によると、設置時間を短縮しながら強固に設置を行うことができる。実施形態に係る蓄電装置の組立方法によると、設置時間を短縮しながら強固に設置を行うことができる。
【００７３】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００７４】
１  筐体
１ａ  第１面
１ｂ  第２面
１ｃ  基材
１ｄ  防食めっき層
１１  第１側壁
１１ｃ  第１貫通穴
１２  第２側壁
１２ｃ  第２貫通穴
１３  第３側壁
１４  第４側壁
１５  底壁
１５ａ  第３貫通穴
１６  上壁
１７  蓄電池
２  第１ナット
２１  第１本体部
２１ａ  第１ねじ穴
２２  第１爪部
２３  第２爪部
３  第２ナット
３１  第２本体部
３１ａ  第２ねじ穴
３２  第３爪部
３３  第４爪部
４  脚部
４１  第１部分
４２  第２部分
４３  第４貫通穴
４４  切欠き
５  蓄電装置
６ａ  第１固定部材
６ｂ  第２固定部材
６１  第５貫通穴
６２  第６貫通穴
７ａ  第１ボルト
７ｂ  第２ボルト
８  設置ブロック
８１  アンカーボルト
８２  ナット
Ｓ１  固定部材取付工程
Ｓ２  設置ブロック取付工程
Ｇ  設置面
Ｔ１  第１厚さ
Ｔ２  第２厚さ
Ｗ  壁
【図１】
2018142474.tif 000003
【図２】
2018142474.tif 000004
【図３】
2018142474.tif 000005
【図４】
2018142474.tif 000006
【図５】
2018142474.tif 000007
【図６】
2018142474.tif 000008
【図７】
2018142474.tif 000009